(57)【要約】【課題】  ネクタイは非常にセットが面倒であったため、素早い交換や表裏両面を利用できることが望まれていた。また、布以外の生地を利用しにくい取付け構造であった。【解決手段】  紐体４１は全長または一部が２本以上重ねた状態であり、全長または一部が２本以上の紐体４１はほとんど同時に引き出される。引き出された紐体４１を互いに逆方向に広げることにより、輪４４を自由な大きさに設定することが可能となり、輪に通す物より大きな輪を容易に形成することができる。また、上記により広がった大きな輪を戻り防止機構付等リールシステムにより、容易に適切なサイズに変えることができた。【選択図】図３
2010280504.tif 000002
【特許請求の範囲】
【請求項１】
ケース内部に巻廻しした状態で収容され、常に前記ケース内の戻る方向に付勢されると共に、前記ケースから引き出し可能な状態で配設した紐体を有し、前記紐体の一端をケースから引き出し必要な任意の長さに設定して停止したり、この停止状態を解除したりすることの出来る戻り防止機構リール等において、前記紐体の全長または一部が２本以上重ねた状態であり、全長または一部が２本以上の紐体を同時に巻廻し、前記ケースから紐体を引き出すと全長または一部が２本以上の紐体がほとんど同時に引き出されることを特徴とするリール。
【請求項２】
戻り防止機構付等リール単数複数ラインシステムのリールを内蔵した表裏両面利用可能であり、ネームプレート等もセットすることの出来るネクタイ、及びアクセサリー等
【発明の詳細な説明】
【技術分野】
【０００１】  本発明は、主にネクタイ等アクセサリーの首へのセット時、紐体の全長または一部が２本以上となる紐体をほとんど同時に引き出し、互いに逆方向に紐体を広げ輪を形成し、頭部より落し入れる事により首に容易にセットする事が出来、常に戻ろうとする付勢力を与えられた全長または一部が２本以上の紐体を、引き出しした任意の長さで停止させると共に、この停止状態を維持できるようにした戻り防止機構付リールに関する。
【背景技術】
【０００２】  一般に、ケース内部に巻廻しした状態で収容され、常に前記ケース内の戻る方向に付勢されると共に、前記ケースから引き出し可能な状態で配設した紐体を有したリール及び、ケース内部に巻廻しした状態で収容され、常に前記ケース内の戻る方向に付勢されると共に、前記ケースから引き出し可能な状態で配設した紐体を有し、前記紐体の一端をケースから引き出し必要な任意の長さに設定して停止したり、この停止状態を解除したりすることの出来るリールに於いて、ケース内部に巻廻しした状態の紐体は縒糸や、水糸、また、縒ったワイヤー、縒ったワイヤーにチューブを被せる場合に於いても一本の単線としていた。
このように形成した従来例のリールは、紐体の先端に鍵などを取付けすることの出来るホルダーを設けて使用していた。例えばホルダーの部分に鍵、または仕事やレジャー等で使用する道具類を取付けると共に、このリールをバンドや体の一部に装着してキーホルダー等として活用していた。
【先行技術文献】
【特許文献】
【０００３】
【特許文献１】  特許第３５１３７２３号
【発明の概要】
【発明が解決しようとする課題】
【０００４】  従来例のリールによれば、紐体のホルダー側に頭や物を通す輪を形成するにあたり紐体のホルダー側に固定した大きさの輪を結ぶ、また伸縮可能なゴム輪などを取付けしていた。固定した大きさの輪や、伸縮ゴム輪などでは通す物により輪を使いやすい適切な大きさに設定することが難しいという大きな問題があった。
本発明は、このような不具合を解消するためになされたものであり、ほとんど同時に引き出された紐体を、互いに逆方向に広げることにより容易に適切な大きさの輪を形成する事の出来ることを特徴とするリールの提供を目的とする。
【課題を解決するための手段】
【０００５】  上記不具合を解決するために、本発明は次のような構成としている。
請求項１に記載したリールはケース内部に巻廻しした状態で収容され、常に前記ケース内の戻る方向に付勢されると共に、前記ケースから引き出し可能な状態で配設した紐体を有したリール及び、ケース内部に巻廻しした状態で収容され、常に前記ケース内の戻る方向に付勢されると共に、前記ケースから引き出し可能な状態で配設した紐体を有し、前記紐体の一端をケースから引き出し必要な任意の長さに設定して停止したり、この停止状態を解除したりすることの出来るリールに於いて、紐体の全長または一部が２本以上重ねた状態であり、全長または一部が２本以上の紐体を同時に巻廻し、前記ケースから紐体を引き出すと全長または一部が２本以上である紐体がほとんど同時に引き出され、互いに逆方向に紐体を広げることにより容易に適切な大きさの輪を形成する事の出来る戻り防止機構付等リール複数ラインシステムとした。
【発明の効果】
【０００６】  以上説明したように本発明によれば、戻り防止機構付等リール複数ラインシステムの紐体を引き出すと、全長または一部が２本以上である紐体がほとんど同時に引き出され、互いに逆方向に紐体を広げることにより、以下の効果を得ることができた。
すなわら、戻り防止機構付等リール複数ラインシステム紐体の着脱手段を利用することにより、比較的大きな小物、ネクタイ等アクセサリーのセットが簡単にできるようになったので、取付けることのできる物の範囲も広がり且つスピーディーになった。
その結果、さまざまな物を楽に取付けることができる効果を得ることができた。
【図面の簡単な説明】
【０００７】
【図１】図１は本発明の戻り防止機構付等リール単数ラインシステムのリールを示す斜視図、及び蓋を外して示す斜視図
【図２】図２は本発明の戻り防止機構付等リール複数ラインシステムのリールを示す斜視図、及び蓋を外して示す斜視図
【図３】上図は戻り防止機構付等リール単数ラインシステムのリールを示す斜視図、下図は戻り防止機構付等リール複数ラインシステムのリールを示す斜視図
【発明を実施するための形態】
【０００８】  紐体の全長または一部が２本以上重ねた状態であり、全長または一部が２本以上の紐体を同時に巻廻し、前記ケースから紐体を引き出すと全長または一部が２本以上の紐体はほとんど同時に引き出され、互いに逆方向に紐体を広げることにより、輪に通す物より大きな輪を容易に形成することができるものである。
また、上記により広がった大きな輪を容易に適切なサイズに変えることができる。
【０００９】  本発明の実施例について、図面を参照して説明する。図２は本発明の戻り防止機構付等リール複数ラインシステムのリールを示す斜視図、及び蓋を外して示す斜視図、図１は本発明の戻り防止機構付等リール単数ラインシステムのリールを示す斜視図、及び蓋を外して示す斜視図であり、図３上図は戻り防止機構付等リール単数ラインシステムを示す斜視図、下図は戻り防止機構付等リール複数ラインシステムのリールを示す斜視図である。
図２で示すように、本発明の戻り防止機構付等リール複数ラインシステムのリール１０は、円盤型のケース１２の、周壁面から引き出し可能な状態で、紐体４１を設けている。
紐体の先端に物等を取付けて利用するさい、従来例図１の紐体４０の先端にカラビナ等ホルダーを必要としたが、図２で示すように、本発明の戻り防止機構付等リール複数ラインシステムにおいては紐体４１を互いに逆方向に広げることによりリール複数ラインシステムにおいては紐体４１を互いに逆方向に広げることによりカラビナ等ホルダーを必要とすることなく、容易に適切な大きさの輪を形成する事の出来ることが特徴である。更に図３、図４にて詳細に説明する。
【００１０】  図３上図は戻り防止機構付等リール単数ラインシステムを示す斜視図である。
戻り防止機構付等リール単数ラインシステムのリール１０は円盤型ケース１２の、周壁面から引き出し可能な状態で、紐体４０を設けている。
紐体４０の先端には鍵、小物、ネクタイ等アクセサリーを取付ける手段として紐体を結ぶ事により輪４３を形成している。輪４３のサイズは取付ける物のサイズや形状により決まり、輪４３のサイズは紐体４２の長さ調整により設定する。
紐体４０を結ぶ事により輪４３を形成しているため、取付ける物により細やかな調整が必要であり不具合を生じた。
その他、紐体４０の先端に鍵、小物、ネクタイ等アクセサリーを取付ける手段としてカラビナ、スナップ、ゴム輪等がある。
【００１１】  図３下図は本発明の戻り防止機構付等リール複数ラインシステムを示す斜視図である。戻り防止機構付等リール複数ラインシステムのリール１０は円盤型ケース１２の周壁面から引き出し可能な状態で、紐体４１を設けている。
紐体４１は全長または一部が２本以上重ねた状態であり、全長または一部が２以上の紐体４１を同時に巻廻し、前記ケースから紐体４１を引き出すと全長または一部が２本以上の紐体４１はほとんど同時に引き出される。引き出された紐体４１を互いに逆方向に広げることにより、輪４４を自由な大きさに設定することが可能となり、輪に通す物より大きな輪を容易に形成することができる。
また、上記により広がった大きな輪を戻り防止機構付等リールシステムにより、容易に適切なサイズに変えることができた。
【００１２】  本発明の請求項２について、図面を参照して説明する。図４は従来利用しているネクタイの平面図である。一般にネクタイを首にセットする祭、１、ネクタイの一部を首に巻き結び瘤９０を作り、ネクタイの裏側に、首に接する輪のサイズを調整した残りのネクタイを配置した。２、ネクタイを首に取付ける手段として首に接する部分をネクタイとは素材の異なる紐体７０を用い、ネクタイの裏側に、首に接する輪のサイズを調整した残りの紐体を配置した。３、ネクタイを首に取付ける手段として首に接する部分７０をネクタイとは素材の異なる伸縮ゴムを用いた。
【００１３】  従来例のネクタイによれば、上記１、は結んでセットまで時間がかかる。且つ、ネクタイの表裏両面を利用することができない。上記２、も時間は短縮されたが、ネクタイの表裏両面を利用することができない。上記３、は伸縮ゴムを用いたため、セットにかかる時間も短縮され、且つ、ネクタイの表裏両面を利用することができるが、首等のサイズにより締め付けの調整が難しい。
このようなネクタイは非常に面倒であった。素早い交換や表裏両面を利用できることが望まれていた。
本発明は、このような不具合を解消するためになされたものであり、素早い交換や表裏両面を利用でき、且つ、ネクタイの首廻りのサイズを容易に調整できるシステムの提供を目的とする。
【００１４】    本発明の請求項２について、図面を参照して説明する。図５は戻り防止機構付等リール単数複数ラインシステムのリール７１を内蔵した表裏両面利用可能であり、ネームプレート等もセットすることの出来るネクタイである。
ネクタイの瘤９１に戻り防止機構付等リール単数複数ラインシステムのリール７１を内蔵しているため、リール７１より引き出した紐体７５を頭より大きく広げ手を放すと輪８１のサイズはロックされ、そのまま容易に首へセットすることができる。
セットされたネクタイを首とは逆方向に引き出すとロックが解除され、手を放すとラインはリールへ引き戻されネクタイの瘤Ａは首元へセットされる。
また、外したり、ラフにセットしたい状況に於いては再びネクタイを首とは逆方向に引き出し手を放すと紐体７５の長さはロックされる。
首にセットしたネクタイを反転するど裏面も利用することが容易のため、ネクタイ生地の縫い合わせ目は裏側ではなく、サイドにし裏面には名刺入れ６５を設けることも出来た。
その他、ネクタイ等の生地は布に限らず紙、ビニール等が利用できるようになり革命的効果がえられるものである。
【符号の説明】
【００１５】１０    戻り防止機構付等リール
１２    ケース
４０    単数ラインシステムの紐体
４１    複数ラインシステムの紐体
４２    ４３を形成するための紐体
４３    単数ラインシステムの紐による輪
４４    複数ラインシステムの紐による輪
６５    名刺入れ
７０    既存ネクタイの紐体
７１    戻り防止機構付等リール
７５    戻り防止機構付等リール複数ラインシステムのリール紐体
８０    既存ネクタイの紐体により形成される輪
８１    戻り防止機構付等リール複数ラインシステムのリール紐体により形成される輪
９０    既存ネクタイの結び瘤
９１    本発明ネクタイの結び瘤
【図１】
2010280504.tif 000003
【図２】
2010280504.tif 000004
【図３】
2010280504.tif 000005
【図４】
2010280504.tif 000006
【図５】
2010280504.tif 000007
【手続補正書】
【提出日】平成21年8月17日(2009.8.17)
【手続補正２】
【補正対象書類名】明細書
【補正対象項目名】０００７
【補正方法】変更
【補正の内容】
【０００７】
【図１】図１は本発明の戻り防止機能付等リール単数ラインシステムのリールを示す斜視図、及び蓋を外して示す斜視図
【図２】図２は本発明の戻り防止機能付等リール複数ラインシステムのリールを示す斜視図、及び蓋を外して示す斜視図
【図３】上図は戻り防止機構付等リール単数ラインシステムのリールを示す斜視図、下図は戻り防止機構付等リール複数ラインシステムのリールを示す斜視図
【図４】図４は従来利用している既存ネクタイの平面図、側面図
【図５】図５は戻り防止機構付等リール単数複数ラインシステムのリール７１を内蔵した表裏両面利用可能であり、ネームプレート等もセットすることの出来るネクタイの平面図、側面図